(57)【要約】【課題】水滴による第１および第２の電極間の短絡を抑制できる貯留容器およびそれを備えた熱源機を提供する。【解決手段】中和器６は、ケース６ａと、第１および第２の電極７ａ、７ｂを備えている。ケース６ａは、第１の傾斜外面Ｏ１と、第１の傾斜外面Ｏ１と異なる面内に位置する第２の傾斜外面Ｏ２とを有する。第１および第２の電極７ａ、７ｂは、ケース６ａの外部から内部に延び、ケース６ａ内の液によって互いに導通することで液位を検知可能なものである。第１の電極７ａは第１の傾斜外面Ｏ１に配置されており、第２の電極７ｂは第２の傾斜外面Ｏ２に配置されている。【選択図】図２
2016001087.tif 000002
【特許請求の範囲】
【請求項１】
第１の傾斜外面と、前記第１の傾斜外面と異なる面内に位置する第２の傾斜外面とを有するケースと、
前記ケースの外部から内部に延び、前記ケース内の液によって互いに導通することで液位を検知可能な第１および第２の電極を備え、
前記第１の電極は前記第１の傾斜外面に配置されており、
前記第２の電極は前記第２の傾斜外面に配置されている、貯留容器。
【請求項２】
前記ケースは、第１の傾斜内面と、前記第１の傾斜内面と異なる面内に位置する第２の傾斜内面とを含み、
前記第１の電極は前記第１の傾斜内面に配置されており、
前記第２の電極は前記第２の傾斜内面に配置されている、請求項１に記載の貯留容器。
【請求項３】
前記ケースは、前記第１および第２の傾斜外面に挟まれた頂部を含み、
前記第１の傾斜外面は、前記頂部から一方側に下り勾配を有しており、
前記第２の傾斜外面は、前記頂部から前記一方側とは反対の他方側に下り勾配を有している、請求項１または２に記載の貯留容器。
【請求項４】
前記第１および前記第２の傾斜外面側から見たときに、前記第１および第２の傾斜外面が前記頂部を挟んで並ぶ方向と交差する方向において、前記第１の電極と前記第２の電極とは互いにずれて配置されている、請求項３に記載の貯留容器。
【請求項５】
前記請求項１〜４のいずれか１項に記載の貯留容器を備えた、熱源機。
【発明の詳細な説明】
【技術分野】
【０００１】
本発明は、貯留容器および熱源機に関し、特に、液位を検知可能な電極を備えた貯留容器およびそれを備えた熱源機に関するものである。
【背景技術】
【０００２】
従来、熱源機内のドレンタンク、中和装置などの貯留容器の液位を電極によって検知する技術が用いられている。貯留容器の液位を電極によって検知する技術として、貯留容器内に挿入された第１および第２の電極が貯留容器内の液を介して通電することで、貯留容器の液位を検知するものがある。
【０００３】
たとえば、特開２００６−１７５３０１号公報（特許文献１）には、容器の上壁部から下向きに突出し、容器内における凝縮水（ドレン）の水位を検知するための電極を備えた凝縮水中和器が開示されている。
【先行技術文献】
【特許文献】
【０００４】
【特許文献１】特開２００６−１７５３０１号公報
【発明の概要】
【発明が解決しようとする課題】
【０００５】
上記の貯留容器に挿入された複数の電極で貯留容器の液位を検知する技術では、結露水などの水滴が第１および第２の電極に付着すると、水滴を介して第１および第２の電極が短絡することがある。これにより、貯留容器の液位が誤検知されるという問題がある。
【０００６】
本発明は、上記課題を鑑みてなされたものであり、その目的は、水滴による第１および第２の電極間の短絡を抑制できる貯留容器およびそれを備えた熱源機を提供することである。
【課題を解決するための手段】
【０００７】
本発明の貯留容器は、ケースと、第１および第２の電極を備えている。ケースは、第１の傾斜外面と、第１の傾斜外面と異なる面内に位置する第２の傾斜外面とを有する。第１および第２の電極は、ケースの外部から内部に延び、ケース内の液によって互いに導通することで液位を検知可能なものである。第１の電極は第１の傾斜外面に配置されており、第２の電極は第２の傾斜外面に配置されている。
【０００８】
本発明の貯留容器によれば、第２の傾斜外面は第１の傾斜外面と異なる面内に位置するため、第１の傾斜外面と第２の傾斜外面とに渡って水滴が付着することを抑制することができる。そして、第１の電極は第１の傾斜外面に配置されており、第２の電極は第２の傾斜外面に配置されているため、第１の傾斜外面と第２の傾斜外面とに渡って付着した水滴を介して第１の電極と第２の電極とが短絡することを抑制することができる。
【０００９】
上記の貯留容器においては、ケースは、第１の傾斜内面と、第１の傾斜内面と異なる面内に位置する第２の傾斜内面とを含む。第１の電極は第１の傾斜内面に配置されており、第２の電極は第２の傾斜内面に配置されている。第２の傾斜内面は第１の傾斜内面と異なる面内に位置するため、第１の傾斜内面と第２の傾斜内面とに渡って水滴が付着することを抑制することができる。そして、第１の電極は第１の傾斜内面に配置されており、第２の電極は第２の傾斜内面に配置されているため、第１の傾斜内面と第２の傾斜内面とに渡って付着した水滴を介して第１の電極と第２の電極とが短絡することを抑制することができる。
【００１０】
上記の貯留容器においては、ケースは、第１および第２の傾斜外面に挟まれた頂部を含む。第１の傾斜外面は、頂部から一方側に下り勾配を有しており、第２の傾斜外面は、頂部から一方側とは反対の他方側に下り勾配を有している。このため、第１の傾斜外面に付着した水滴は頂部から一方側に下り、第２の傾斜外面に付着した水滴は頂部から他方側に下る。したがって、頂部を挟んで第１の傾斜外面と第２の傾斜外面とに渡って水滴が付着することを抑制することができる。これにより、頂部を挟んで第１の傾斜外面と第２の傾斜外面とに渡って付着した水滴を介して第１の電極と第２の電極とが短絡することを抑制することができる。
【００１１】
上記の貯留容器においては、第１および第２の傾斜外面側から見たときに、第１および第２の傾斜外面が頂部を挟んで並ぶ方向と交差する方向において、第１の電極と第２の電極とは互いにずれて配置されている。このため、第１および第２の傾斜外面が頂部を挟んで並ぶ方向に第１の傾斜外面と第２の傾斜外面とに渡って水滴が延在しても、水滴を介して第１の電極と第２の電極とが短絡することを抑制することができる。
【００１２】
本発明の熱源機は、上記の貯留容器を備えている。このため、水滴による第１および第２の電極間の短絡を抑制できる貯留容器を備えた熱源機を提供することができる。
【発明の効果】
【００１３】
以上説明したように、本発明によれば、水滴による電極間の短絡を抑制できる貯留容器およびそれを備えた熱源機を提供することができる。
【図面の簡単な説明】
【００１４】
【図１】本発明の一実施の形態における熱源機の構成を示す概略図である。
【図２】本発明の一実施の形態における貯留容器の構成を概略的に示す部分断面図である。
【図３】図２のＰ１部を示す斜視図である。
【図４】図２のＰ１部を示す拡大図である。
【発明を実施するための形態】
【００１５】
以下、本発明の実施の形態について図に基づいて説明する。
まず、本発明の一実施の形態における熱源機の構成について説明する。以下、本実施の形態の熱源機の貯留容器の一例として中和器について説明する。また、以下では各方向は熱源機を設置した状態を基準としている。
【００１６】
図１を参照して、本実施の形態における熱源機は、筐体１と、燃焼装置２と、送風装置３と、一次熱交換器４と、二次熱交換器５と、中和器（貯留容器）６と、第１の電極７ａと、第２の電極７ｂと、制御部８と、給湯経路９とを主に有している。
【００１７】
筐体１は、底面（下面）１ａ、天面（上面）１ｂおよび側面１ｃと、図示しない前面および後面を有しており、これらの面によって取り囲まれた内部空間ＩＳを有している。この内部空間ＩＳに、燃焼装置２、送風装置３、一次熱交換器４、二次熱交換器５、中和器６、第１の電極７ａ、第２の電極７ｂ、制御部８、給湯経路９が収納されている。
【００１８】
燃焼装置２は、燃焼ガスを供給するためのものである。この燃焼ガスは、一次熱交換器４および二次熱交換器５との間で熱交換を行なうためのものである。燃焼装置２は熱源機の高さ方向の中央部に配置されている。燃焼装置２はたとえばバーナである。
【００１９】
送風装置３は、燃焼装置２に燃焼用の空気を供給するためのものである。送風装置３は、燃焼装置２よりも底面１ａ側（下方側）に配置されている。また、送風装置３は、一次熱交換器４および二次熱交換器５よりも底面１ａ側に配置されている。送風装置３はたとえばファンである。
【００２０】
一次熱交換器４は、燃焼装置２によって供給された燃焼ガスの顕熱を回収するためのものである。二次熱交換器５は、燃焼装置２によって供給された燃焼ガスの潜熱を回収するためのものである。一次熱交換器４と二次熱交換器５とは互いに接続されている。一次熱交換器４は二次熱交換器５の下方側に配置されている。また、一次熱交換器４および二次熱交換器５は、燃焼装置２よりも上面１ｂ側（上方側）に配置されている。一次熱交換器４および二次熱交換器５はそれぞれ被加熱流体を流通可能な伝熱管と、この伝熱管を収容可能なケースとを有している。
【００２１】
一次熱交換器４で熱交換した後の燃焼ガスが二次熱交換器５へ通されることで二次熱交換器４内の水（被加熱流体）が予熱される。この過程で燃焼ガスの温度が６０℃程度まで下がることで、燃焼ガス中に含まれる水分が凝縮して潜熱が回収される。そして、燃焼ガスの潜熱が回収されることによってドレンが発生する。
【００２２】
中和器６は、二次熱交換器５で燃焼ガスの潜熱を回収することによって発生したドレンを中和するためのものである。中和器６は、ケース６ａと、第１の電極７ａと、第２の電極７ｂとを有している。第１の電極７ａおよび第２の電極７ｂの各々はケース６ａに取り付けられている。中和器６は燃焼装置２と側面１ｃとの間に配置されている。中和器６は二次熱交換器５よりも底面１ａ側（下方側）に配置されている。
【００２３】
ドレン受けＤＲは二次熱交換器５の下方に配置されており、二次熱交換器５で生じたドレンを受けるように構成されている。このドレン受けＤＲで受けられたドレンは排気ガス中の窒素酸化物などが溶け込んでいるため酸性となる。第１のドレン配管ＤＰ１はドレン受けＤＲと中和器６とを接続している。酸性のドレンは、ドレン受けＤＲから第１のドレン配管ＤＰ１を通って中和器６に送られる。
【００２４】
中和器６の内部には中和剤が充填されており、この中和剤によって酸性のドレンを中和することができる。第２のドレン配管ＤＰ２は中和器６とドレン排出口ＤＯとを接続している。中和器６で中和されたドレンは第２のドレン配管ＤＰ２を通ってドレン排出口ＤＯから筐体１外に排出される。
【００２５】
第１の電極７ａおよび第２の電極７ｂの各々は制御部８に電気的に接続されている。制御部８は中和器６内のドレンを検知可能に構成されている。制御部８は、第１の電極７ａと第２の電極７ｂとがドレンに接触することにより互いに導通したことを示す電気信号によって中和器６内のドレンを検知する。
【００２６】
給湯経路９は、一次熱交換器４および二次熱交換器５で燃焼ガスと熱交換された湯水を熱源機外に供給するためのものである。給湯経路９は、給水配管９ａと、給湯配管９ｂと、入水口ＩＷと、出湯口ＯＷとを有している。給水配管９ａは、入水口ＩＷから二次熱交換器５に被加熱流体である水を給水可能に構成されている。給湯配管９ｂは、一次熱交換器４と出湯口ＯＷとを接続している。給湯配管９ｂは、一次熱交換器４から出湯口ＯＷに一次熱交換器４および二次熱交換器５で温められた温水を給湯可能に構成されている。これにより、入水口ＩＷから給水された水は、二次熱交換器５および一次熱交換器４を通過する際に燃焼ガスによって加熱されて出湯口ＯＷから給湯される。
【００２７】
続いて、図２および図３を参照して、本実施の形態の中和器６の構成について詳しく説明する。図２に示すように、中和器６のケース６ａは、上壁部６Ｕと、底壁部６Ｂと、側壁部６Ｓとを有している。上壁部６Ｕと、底壁部６Ｂと、側壁部６Ｓとによって取り囲まれたケース６ａの内部に中和剤が充填されている。
【００２８】
上壁部６Ｕに受入部６Ｉが設けられている。受入部６Ｉは、図１に示す第１のドレン配管ＤＰ１に接続される。このため、ドレンは第１のドレン配管ＤＰ１を通って受入部６Ｉから中和器６の内部に流れ込む。また、底壁部６Ｂに排出部６Ｏが設けられている。排出部６Ｏは、図１に示す第２のドレン配管ＤＰ２に接続される。このため、中和器６の内部に流れ込んだドレンは排出部６Ｏから第２のドレン配管ＤＰ２に流れ込む。
【００２９】
ケース６ａの上壁部６Ｕを含む一定の領域はヘッダ部ＨＰを構成している。ヘッダ部ＨＰに第１の電極７ａおよび第２の電極７ｂが配置されている。また、ヘッダ部ＨＰに受入部６Ｉが接続されている。このため、ドレンは受入部６Ｉからヘッダ部ＨＰに流れ込む。なお、ヘッダ部ＨＰ内には中和剤が充填されていない。
【００３０】
ヘッダ部ＨＰを構成する上壁部６Ｕは、第１の傾斜外面Ｏ１と、第２の傾斜外面Ｏ２と、第１の傾斜内面Ｉ１と、第２の傾斜内面Ｉ２と、頂部ＴＰとを有している。
【００３１】
第１の傾斜外面Ｏ１および第２の傾斜外面Ｏ２の各々は中和器６の外面であって傾斜する面である。本実施の形態では、第１の傾斜外面Ｏ１と第２の傾斜外面Ｏ２は互いに反対方向に傾斜している。第１の傾斜外面Ｏ１の頂部ＴＰに対する傾斜角度は、第２の傾斜外面Ｏ２の頂部ＴＰに対する傾斜角度と同じであってもよい。また、第１の傾斜外面Ｏ１および第２の傾斜外面Ｏ２の各々は平面状に形成されている。第２の傾斜外面Ｏ２は第１の傾斜外面Ｏ１と異なる面内に位置する。つまり、図３に示すように第１の傾斜外面Ｏ１を含み、第１の傾斜外面Ｏ１を延在した面Ｓ１内には第２の傾斜外面Ｏ２は位置していない。
【００３２】
第１の傾斜内面Ｉ１および第２の傾斜内面Ｉ２の各々は中和器６の内面であって傾斜する面である。本実施の形態では、第１の傾斜内面Ｉ１と第２の傾斜内面Ｉ２は互いに反対方向に傾斜している。第１の傾斜内面Ｉ１の頂部ＴＰに対する傾斜角度は、第２の傾斜内面Ｉ２の頂部ＴＰに対する傾斜角度と同じであってもよい。また、第１の傾斜内面Ｉ１および第２の傾斜内面Ｉ２の各々は平面状に形成されている。第２の傾斜内面Ｉ２は第１の傾斜内面Ｉ１と異なる面内に位置する。つまり、図３に示すように第１の傾斜内面Ｉ１を含み、第１の傾斜内面Ｉ１を延在した面Ｓ２内には第２の傾斜内面Ｉ２は位置していない。
【００３３】
頂部ＴＰは、第１の傾斜外面Ｏ１および第２の傾斜外面Ｏ２に挟まれている。頂部ＴＰは、第１の傾斜外面Ｏ１および第２の傾斜外面Ｏ２よりも上方に位置する。本実施の形態では頂部ＴＰは平面状に形成されている。第１の傾斜外面Ｏ１は、頂部ＴＰから一方側に下り勾配を有している。第１の傾斜外面Ｏ１の下り勾配は付着した水滴が流れ落ちるように設定されている。第２の傾斜外面Ｏ２は、頂部ＴＰから一方側とは反対の他方側に下り勾配を有している。第２の傾斜外面Ｏ２の下り勾配は付着した水滴が流れ落ちるように設定されている。
【００３４】
第１の傾斜内面Ｉ１は、第１の傾斜外面Ｏ１と同様に頂部ＴＰから一方側に下り勾配を有している。第１の傾斜内面Ｉ１の下り勾配は付着した水滴が流れ落ちるように設定されている。第２の傾斜内面Ｉ２は、第２の傾斜外面Ｏ２と同様に頂部ＴＰから他方側に下り勾配を有している。第２の傾斜内面Ｉ２の下り勾配は付着した水滴が流れ落ちるように設定されている。
【００３５】
第１の傾斜内面Ｉ１および第１の傾斜外面Ｏ１の各々の頂部ＴＰに対する傾斜角度は互いに同じであってもよい。つまり、第１の傾斜内面Ｉ１は、第１の傾斜外面Ｏ１と平行に形成されていてもよい。また、第２の傾斜内面Ｉ２および第２の傾斜外面Ｏ２の各々の頂部ＴＰに対する傾斜角度は互いに同じであってもよい。つまり、第２の傾斜内面Ｉ２は、第２の傾斜外面Ｏ２と平行に形成されていてもよい。
【００３６】
また、第１の傾斜内面Ｉ１と第１の傾斜外面Ｏ１との間の厚み寸法と第２の傾斜内面Ｉ２と第２の傾斜外面Ｏ２との間の厚み寸法とは均一であってもよい。つまり、上壁部６Ｕは均一の厚み寸法を有していてもよい。
【００３７】
第１の電極７ａおよび第２の電極７ｂは、ケース６ａの外部から内部に延びている。第１の電極７ａおよび第２の電極７ｂは、ケース６ａ内の水（液）によって互いに導通することで液位を検知可能に構成されている。第１の電極７ａは第１の傾斜外面Ｏ１に配置されており、第２の電極は前記第２の傾斜外面Ｏ２に配置されている。また、第１の電極７ａは第１の傾斜内面Ｉ１に配置されており、第２の電極７ｂは第２の傾斜内面Ｉ２に配置されている。
【００３８】
具体的には第１の電極７ａおよび第２の電極７ｂはネジであってもよい。本実施の形態では、第１の電極７ａの頭部が第１の傾斜外面Ｏ１上に配置されており、第２の電極７ｂの頭部が第２の傾斜外面Ｏ２上に配置されている。第１の電極７ａの軸部は第１の傾斜外面Ｏ１および第１の傾斜内面Ｉ１を貫通してケース６ａの内部に突出している。第２の電極７ｂの軸部は第２の傾斜外面Ｏ２および第２の傾斜内面Ｉ２を貫通してケース６ａの内部に突出している。第１の電極７ａの軸部は第１の傾斜外面Ｏ１と直交するようにケース６ａに固定されている。第２の電極７ｂの軸部は第２の傾斜外面Ｏ２と直交するようににケース６ａに固定されている。第１の傾斜内面Ｉ１と第２の傾斜内面Ｉ２とが対向する方向と交差する方向から見て、第１の電極７ａの軸部は第２の電極７ｂの軸部と交差している。
【００３９】
図３に示すように、第１の傾斜外面Ｏ１および第２の傾斜外面Ｏ２側から見たときに、第１の傾斜外面Ｏ１および第２の傾斜外面Ｏ２が頂部ＴＰを挟んで並ぶ方向Ｄ１と交差する方向Ｄ２において、第１の電極７ａと第２の電極７ｂとは互いにずれて配置されている。つまり、第１の傾斜外面Ｏ１および第２の傾斜外面Ｏ２を上方から鉛直方向に見て、第１の電極７ａおよび第２の電極７ｂは上記方向Ｄ１に沿って直線状に配置されていない。本実施の形態では、上記方向Ｄ１に沿って第１の電極７ａおよび第２の電極７ｂは、上記方向Ｄ１に沿って重ならないように上記方向Ｄ２に互いにずれて配置されている。
【００４０】
次に、本実施の形態の作用効果について説明する。
図４を参照して、本実施の形態の中和器によれば、第２の傾斜外面Ｏ２は第１の傾斜外面Ｏ１と異なる面内に位置するため、第１の傾斜外面Ｏ１と第２の傾斜外面Ｏ２とに渡って水滴が付着することを抑制することができる。つまり、図４中矢印Ａ１で示すように結露水などの水滴が付着しても第１の傾斜外面Ｏ１および第２の傾斜外面Ｏ２の各々に水滴が流れる。このため、第１の傾斜外面Ｏ１と第２の傾斜外面Ｏ２とに渡って水滴が付着することが抑制される。そして、第１の電極７ａは第１の傾斜外面Ｏ１に配置されており、第２の電極７ｂは第２の傾斜外面Ｏ２に配置されているため、第１の傾斜外面Ｏ１と第２の傾斜外面Ｏ２とに渡って付着した水滴を介して第１の電極７ａと第２の電極７ｂとが短絡することを抑制することができる。
【００４１】
本実施の形態の中和器においては、第２の傾斜内面Ｉ２は第１の傾斜内面Ｉ１と異なる面内に位置するため、第１の傾斜内面Ｉ１と第２の傾斜内面Ｉ２とに渡って水滴が付着することを抑制することができる。つまり、図４中矢印Ａ２で示すように結露水、ドレンなどの水滴が付着しても第１の傾斜内面Ｉ１および第２の傾斜内面Ｉ２の各々に水滴が流れる。このため、第１の傾斜内面Ｉ１と第２の傾斜内面Ｉ２とに渡って水滴が付着することが抑制される。そして、第１の電極７ａは第１の傾斜内面Ｉ１に配置されており、第２の電極７ｂは第２の傾斜内面Ｉ２に配置されているため、第１の傾斜内面Ｉ１と第２の傾斜内面Ｉ２とに渡って付着した水滴を介して第１の電極７ａと第２の電極７ｂとが短絡することを抑制することができる。
【００４２】
本実施の形態の中和器においては、ケース６ａは、第１の傾斜外面Ｏ１および第２の傾斜外面Ｏ２に挟まれた頂部ＴＰを含んでいる。そして、第１の傾斜外面Ｏ１は、頂部ＴＰから一方側に下り勾配を有しており、第２の傾斜外面Ｏ２は、頂部ＴＰから一方側とは反対の他方側に下り勾配を有している。このため、図４中矢印Ａ１で示すように第１の傾斜外面Ｏ１に付着した水滴は頂部ＴＰから一方側に下り、第２の傾斜外面Ｏ２に付着した水滴は頂部ＴＰから他方側に下る。したがって、頂部ＴＰを挟んで第１の傾斜外面Ｏ１と第２の傾斜外面Ｏ２とに渡って水滴が付着することを抑制することができる。これにより、頂部ＴＰを挟んで第１の傾斜外面Ｏ１と第２の傾斜外面Ｏ２とに渡って付着した水滴を介して第１の電極７ａと第２の電極７ｂとが短絡することを抑制することができる。
【００４３】
また、図４中矢印Ａ１で示すように落下してきた水滴に対して頂部ＴＰが関の役割を果たすため、頂部ＴＰを挟んで第１の傾斜外面Ｏ１と第２の傾斜外面Ｏ２とに渡って水滴が付着することを抑制することができる。
【００４４】
また、第１の傾斜内面Ｉ１は、頂部ＴＰから一方側に下り勾配を有しており、第２の傾斜内面Ｉ２は、頂部ＴＰから一方側とは反対の他方側に下り勾配を有している。このため、図４中矢印Ａ２で示すように第１の傾斜内面Ｉ１に付着した水滴は頂部ＴＰから一方側に下り、第２の傾斜内面Ｉ２に付着した水滴は頂部ＴＰから他方側に下る。したがって、頂部ＴＰを挟んで第１の傾斜内面Ｉ１と第２の傾斜内面Ｉ２とに渡って水滴が付着することを抑制することができる。
【００４５】
なお、第１の傾斜内面Ｉ１の第１の電極７ａよりも下方の部分に水滴が付着した場合には、第１の傾斜内面Ｉ１に沿って第１の電極７ａから離れる方向に水滴が流れる。同様に、第２の傾斜内面Ｉ２の第２の電極７ｂよりも下方の部分に水滴が付着した場合には、第２の傾斜内面Ｉ２に沿って第２の電極７ｂから離れる方向に水滴が流れる。このため、第１の傾斜内面Ｉ１と第２の傾斜内面Ｉ２とに渡って水滴が付着することを抑制することができる。
【００４６】
図３に示すように、本実施の形態の貯留容器においては、第１の傾斜外面Ｏ１および第２の傾斜外面Ｏ２側から見たときに、第１の傾斜外面Ｏ１および第２の傾斜外面Ｏ２が頂部ＴＰを挟んで並ぶ方向Ｄ１と交差する方向Ｄ２において、第１の電極７ａと第２の電極７ｂとは互いにずれて配置されている。このため、第１の傾斜外面Ｏ１および第２の傾斜外面Ｏ２が頂部ＴＰを挟んで並ぶ方向Ｄ１に第１の傾斜外面Ｏ１と第２の傾斜外面Ｏ２とに渡って水滴が延在しても、水滴を介して第１の電極７ａと第２の電極７ｂとが短絡することを抑制することができる。
【００４７】
また、第１の傾斜外面Ｏ１および第２の傾斜外面Ｏ２側から見たときに、第１の傾斜外面Ｏ１および第２の傾斜外面Ｏ２が頂部ＴＰを挟んで並ぶ方向Ｄ１に第１の電極７ａと第２の電極７ｂとが配置された場合よりも、第１の電極７ａと第２の電極７ｂとの距離を長くすることができる。このため、水滴を介して第１の電極７ａと第２の電極７ｂとが短絡することを抑制することができる。
【００４８】
図１に示すように、本発明の熱源機は、上記の中和器６を備えている。このため、水滴による第１の電極７ａと第２の電極７ｂ間の短絡を抑制できる中和器６を備えた熱源機を提供することができる。
【００４９】
なお、上記では本実施の形態の熱源機の貯留容器の一例として中和器６について説明したが、本実施の形態の貯留容器は中和器６に限定されず、ドレンタンク、温水暖房機の膨張タンクなどであってもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
１  筐体、１ａ  底面、１ｂ  上面、１ｃ  側面、２  燃焼装置、３  送風装置、４  一次熱交換器、５  二次熱交換器、６  中和器、６Ｂ  底壁部、６Ｉ  受入部、６Ｏ  排出部、６Ｓ  側壁部、６Ｕ  上壁部、６ａ  ケース、７ａ  第１の電極、７ｂ  第２の電極、８  制御部、９  給湯経路、９ａ  給水配管、９ｂ  給湯配管、ＤＯ  ドレン排出口、ＤＰ１  第１のドレン配管、ＤＰ２  第２のドレン配管、ＨＰ  ヘッダ部、Ｉ１  第１の傾斜内面、Ｉ２  第２の傾斜内面、ＩＳ  内部空間、ＩＷ  入水口、Ｏ１  第１の傾斜外面、Ｏ２  第２の傾斜外面、ＯＷ  出湯口、ＴＰ  頂部。
【図１】
2016001087.tif 000003
【図２】
2016001087.tif 000004
【図３】
2016001087.tif 000005
【図４】
2016001087.tif 000006